(57)【要約】      （修正有）【課題】電話ボックス設置用スペースの奥行きを狭くできる電話設置装置を提供する。【解決手段】電話設置用空間部Ｓの出入り口開口部Ｓｏに引き戸装置１を設ける。引き戸装置１は、上下横枠５及び左右側枠６，７からなる戸枠２と、戸枠２内に配置された第１引き戸１１及び第２引き戸１２と、戸枠２内の片側部分で第２引き戸１２の外側に設けられた固定壁３とからなる。第１引き戸１１及び第２引き戸１２の上端部は、上横枠に取り付けられた上部ガイドレールに左右動自在に吊支され、第２引き戸１２の下端部は、固定壁３の内側で下横枠の上面に取り付けられた下部ガイドレール１５に支持され、第１引き戸の下端部は、第２引き戸の内側下端部に取り付けられた下部ガイドレール１６に支持され、第１引き戸１１及び第２引き戸と戸枠１２との間には、第１引き戸１１の開閉作動に連動して第２引き戸１２を開閉作動させる連動手段が介装される。【選択図】図３
0003190980.tif 000002
【実用新案登録請求の範囲】
【請求項１】
電話設置用空間部の出入り口開口部に引き戸装置が設けられ、この引き戸装置は、上横枠、下横枠及び左右の側枠からなる戸枠と、戸枠内に配置された内側の第１引き戸及び外側の第２引き戸と、戸枠内の左側部分又は右側部分で第２引き戸の外側に設けられた固定壁とからなり、第１引き戸及び第２引き戸の夫々上端部は、上横枠に夫々取り付けられた上部ガイドレールに左右動自在に吊支され、第２引き戸の下端部は、固定壁の内側で下横枠の上面に取り付けられた下部ガイドレールに支持され、第１引き戸の下端部は、第２引き戸の内側下端部に取り付けられた下部ガイドレールに支持され、第１引き戸及び第２引き戸と戸枠との間には、戸先側となる第１引き戸の開閉作動に連動して第２引き戸を開閉作動させる連動手段が介装されている電話設置装置。
【請求項２】
前記連動手段は、戸枠の上横枠側に配備されたパンタグラフ機構からなるもので、パンタグラフ機構の基端部を上横枠側に枢着し、先端部を第１引き戸の上端部側に枢着し、中間部を第２引き戸の上端部側に枢着することによって、戸先側の第１引き戸の開閉作動によりパンタグラフ機構が伸縮動作して第２引き戸を開閉作動させるようにした請求項１に記載の電話設置装置。
【請求項３】
第１引き戸及び第２引き戸を開戸した後に自動的に閉戸するためのバネ手段と、閉戸時に引き戸速度を減速するための引き戸用ダンパーとが、戸枠と第２引き戸との間に介設されている請求項１又は２に記載の電話設置装置。
【請求項４】
前記バネ手段は、戸枠の上横枠側に配備されたコイルバネからなるもので、コイルバネの一端部が上横枠側に取り付けられ、他端部が第２引き戸の上端部側に取り付けられている請求項３に記載の電話設置装置。
【請求項５】
前記引き戸用ダンパーは、戸枠の上横枠側に配備されたエアシリンダからなるもので、シリンダチューブ又はピストンロッドが上横枠側に取り付けられ、ピストンロッド又はシリンダチューブが第２引き戸の上端部側に取り付けられている請求項３又は４に記載の電話設置装置。
【考案の詳細な説明】
【技術分野】
【０００１】
本考案は、例えば高速道路のトンネル内に設けられた電話設置用空間部に設置される電話設置装置に関する。
【背景技術】
【０００２】
従来の電話設置装置として、例えば下記特許文献１や特許文献２に記載されたものがある。これらの特許文献１，２に記載の電話設置装置は、高速道路のトンネル内の側壁部に設けられた電話ボックス設置用のスペース内に電話ボックスを設置することなく、電話ボックスの扉のみを前記スペースの出入り口開口部を被うように開閉自在に設けたもので、その扉は、２枚の障子を枢着して、その枢着部を中心に折り畳み自在で、一方の障子の基端部を戸枠に枢着したもので、扉開放時には２枚の障子が山形状に折り畳まれて前記スペース内へ突き出るようになっている。
【先行技術文献】
【特許文献】
【０００３】
【特許文献１】実用新案登録第３１４６８３２号公報
【特許文献２】実用新案登録第３１４９８３２号公報
【考案の概要】
【考案が解決しようとする課題】
【０００４】
従来の電話設置装置では、電話ボックス設置用スペースの出入り口開口部に２枚の障子からなる扉が設けられ、扉開放時には２枚の障子が山形状に折り畳まれて電話ボックス設置用スペース内へ突き出ることから、有効スペースを十分に確保するには前記スペースの奥行きを十分広くとる必要があって、結果的に施工費が高くつくといった問題があった。本考案は、そのような課題に鑑み、電話ボックス設置用スペースの奥行きを狭くできて、そのスペースを極力狭くできるようにした電話設置装置を提供することを目的とする。
【課題を解決するための手段】
【０００５】
上記課題を解決するための手段を、後述する実施形態の参照番号を付して説明すると、本考案の請求項１に係る考案は、電話設置用空間部Ｓの出入り口開口部Ｓｏに引き戸装置１が設けられ、この引き戸装置１は、上横枠４、下横枠５及び左右の側枠６，７からなる戸枠２と、戸枠２内に配置された内側の第１引き戸１１及び外側の第２引き戸１２と、戸枠２内の左側部分又は右側部分で第２引き戸１２の外側に設けられた固定壁３とからなり、第１引き戸１１及び第２引き戸１２の夫々上端部は、上横枠４に取り付けられた上部ガイドレール９，１０に夫々左右動自在に吊支され、第２引き戸１２の下端部は、固定壁３の内側で下横枠５の上面に取り付けられた下部ガイドレール１５に支持され、第１引き戸の下端部は、第２引き戸の内側下端部に取り付けられた下部ガイドレール１６に支持され、第１引き戸１１及び第２引き戸と戸枠１２との間には、戸先側となる第１引き戸１１の開閉作動に連動して第２引き戸１２を開閉作動させる連動手段２０が介装されていることを特徴とする。
【０００６】
請求項２は、請求項１に記載の電話設置装置において、前記連動手段２０は、戸枠２の上横枠４側に配備されたパンタグラフ機構２１からなるもので、パンタグラフ機構２１の基端部を上横枠４側に枢着し、先端部を第１引き戸１１の上端部側に枢着し、中間部を第２引き戸１２の上端部側に枢着することによって、戸先側の第１引き戸１１の開閉作動によりパンタグラフ機構２１が伸縮動作して第２引き戸１２を開閉作動させるようにしたことを特徴とする。
【０００７】
請求項３は、請求項１又は２に記載の電話設置装置において、第１引き戸１１及び第２引き戸１２を開戸した後に自動的に閉戸するためのバネ手段２８と、閉戸時に引き戸速度を減速するための引き戸用ダンパー３０とが、戸枠２と第２引き戸１２との間に介設されていることを特徴とする。
【０００８】
請求項４は、請求項３に記載の電話設置装置において、前記バネ手段２８は、戸枠２の上横枠４側に配備されたコイルバネ２９からなるもので、コイルバネ２９の一端部が上横枠４側に取り付けられ、他端部が第２引き戸１２の上端部側に取り付けられていることを特徴とする。
【０００９】
請求項５は、請求項３又は４に記載の電話設置装置において、前記引き戸用ダンパー３０は、戸枠２の上横枠４側に配備されたエアシリンダ３４からなるもので、シリンダチューブ３４ａ又はピストンロッド３４ｂが上横枠４側に取り付けられ、ピストンロッド３４ｂ又はシリンダチューブ３４ａが第２引き戸１２の上端部側に取り付けられていることを特徴とする。
【考案の効果】
【００１０】
上記解決手段による考案の効果を、後述する実施形態の参照番号を付して説明すると、請求項１に係る考案の電話設置装置によれば、電話設置用空間部Ｓの出入り口開口部Ｓｏに引き戸装置１を設けているから、出入り口開口部Ｓｏに２枚の障子からなる扉を設けた従来の電話設置装置のように扉閉止時に山形状に折り畳まれた障子が電話設置用空間部Ｓ内に突き出ることがなく、電話設置用空間部Ｓの奥行きを狭くでき、従って電話設置用空間部Ｓを極力狭くして、電話設置装置の小型化を図ることができる。
【００１１】
このように出入り口開口部Ｓｏに引き戸装置１を設けた場合、一般的な引き戸装置であれば、戸枠２の下横枠５上面にガイドレールを設ける必要があるが、この考案の電話設置装置においては、第１引き戸１１及び第２引き戸１２の夫々上端部を、上横枠４に取り付けた上部ガイドレール９，１０に夫々左右動自在に吊支し、第２引き戸１２の下端部を、固定壁３の内側で下横枠５の上面に取り付けた下部ガイドレール１５に支持し、第１引き戸の下端部は、第２引き戸の内側下端部に取り付けた下部ガイドレール１６に支持しているため、戸枠２の下横枠５の上面は、溝部や突起部等がなく平坦となって、外観上の体裁が良い上に、泥やゴミ等が詰まったり、電話使用者が足を引っ掛けたりするような不都合がない。
【００１２】
請求項２に係る考案によれば、第１引き戸１１と第２引き戸と戸枠１２とを連動開閉する連動手段２０として、戸枠２の上横枠４側にパンタグラフ機構２１を配備し、このパンタグラフ機構２１の基端部を上横枠４側に枢着し、先端部を第１引き戸１１の上端部側に枢着し、中間部を第２引き戸１２の上端部側に枢着することによって、戸先側の第１引き戸１１の開閉作動によりパンタグラフ機構２１が伸縮動作して第２引き戸１２を開閉作動させるから、連動手段２０の構造がコンパクトになり、戸枠２の上横枠４側に有効に配備できる。
【００１３】
請求項３に係る考案によれば、開戸後に自動的に閉戸するためのバネ手段２８を戸枠２と第２引き戸１２との間に設けているから、第１引き戸１１及び第２引き戸１２は開戸後に自動的に閉動して、閉戸操作が不要となる。また戸枠２と第２引き戸１２との間には、閉戸時に引き戸速度を減速するための引き戸用ダンパー３０を設けているため、第１引き戸１１と第２引き戸１２はゆっくり閉動し、戸先側の第１引き戸１１が戸枠２の側枠７に衝突して、騒音を発するのを回避できる。
【００１４】
請求項４に係る考案によれば、バネ手段２８は、戸枠２の上横枠４側に配備されたコイルバネ２９からなるもので、コイルバネ２９の一端部を上横枠４側に取り付け、他端部を第２引き戸１２の上端部側に取り付けるようにすることで、バネ手段２８を戸枠２の上横枠４側に有効に配備できる。
【００１５】
請求項５に係る考案によれば、引き戸用ダンパー３０は、戸枠２の上横枠４側に配備されたエアシリンダ３４からなるもので、シリンダチューブ３４ａを上横枠４側に取り付け、ピストンロッド３４ｂを第２引き戸１２の上端部側に取り付けるようにしているから、引き戸用ダンパー３０が１本の棒状構造体となり、戸枠２の上横枠４側に有効に配備できる。
【図面の簡単な説明】
【００１６】
【図１】本考案に係る電話設置装置の引き戸装置を電話設置用空間部の外側から見た正面図である。
【図２】同上の引き戸装置を電話設置用空間部の内側から見た正面図である。
【図３】図１のＡ−Ａ線断面図である。
【図４】(a) は図１のＢ−Ｂ線拡大断面図であり、(b) は図１のＣ−Ｃ線拡大断面図である。
【図５】(a) は図１のＤ−Ｄ線拡大断面図であり、(b) は図１のＥ−Ｅ線拡大断面図である。
【図６】図１のＦ−Ｆ線拡大断面図であって、(a) 及び(b) は連動手段としてのパンタグラフ機構が伸張した閉戸状態を示し、(c) はパンタグラフ機構が収縮した開戸状態を示す。
【考案を実施するための形態】
【００１７】
以下に本考案の好適な実施形態について図面を参照しながら説明すると、図１〜図５において、Ｓは高速道路のトンネル内に設けられた電話設置用空間部で、床壁部Ｓａと天井壁部Ｓｂと左右側壁部Ｓｃ，Ｓｃと奥壁部Ｓｄと出入り口開口部Ｓｏとからなり、図３に示すように、この電話設置用空間部Ｓの出入り口開口部Ｓｏに引き戸装置１が設けられる。なお、Ｔは電話装置で、電話設置用空間部Ｓの奥壁部Ｓｄに設置される。
【００１８】
引き戸装置１は、図１，２に示すように、上横枠４、下横枠５及び左右の側枠６，７からなる戸枠２と、図３に示すように戸枠２内に配置された内側の第１引き戸１１及び外側の第２引き戸１２と、さらに、図３に示すように戸枠２内の右側部分に位置し、第２引き戸１２の外側に位置するように設けられた固定壁３とからなる。また図３から分かるように、出入り口開口部Ｓｏの内周壁と戸枠２の外周面との間にはモルタルＭが装填されている。そして戸枠２の下横枠５及び左右の側枠６，７は、図１に示すようにアンカーボルト８により出入り口開口部Ｓｏの床壁部Ｓａ及び左右側壁部Ｓｃ，Ｓｃに固定されている。
【００１９】
尚、電話設置用空間部Ｓの床壁部Ｓａにはその全面にモルタルＭが打設されていて、図５に示すように、この床壁部Ｓａ側のモルタルＭの上面と、出入り口開口部Ｓｏの下横枠５の上面とが面一となっている。
【００２０】
第１引き戸１１及び第２引き戸１２の夫々上端部は、図４の(a) ，(b) に示すように、上横枠４の下面側に互いに平行に取り付けられた上部ガイドレール９，１０に、これらに夫々係合して転動する転動吊支部材１３，１４を介して、夫々左右方向移動自在に吊支されている。そして、図３及び図５の(a) ，(b) から分かるように、第２引き戸１２の下端部は、固定壁３の内側に隠れるように位置して下横枠５の上面に取り付けられた下部ガイドレール１５に支持案内されるようになっており、第１引き戸１１の下端部は、第２引き戸１２の内側下端部に取り付けられた下部ガイドレール１６に支持案内されるようになっている。
【００２１】
図１、図２、図４及び図５に示すように、第１引き戸１１は、上下の框１１ａ，１１ｂと左右の框１１ｃ，１１ｃと中框１１ｄとこれらの間に嵌装されたガラス板１１ｅとからなるもので、上框１１ａに転動吊支部材１３が取り付けられ、そして下框１１ｂの下端部に設けた凹溝１７が下部ガイドレール１６に係合される。この第１引き戸１１の戸先側の框１１ｃには、図１〜図３に示すように、内外両側面の夫々所要位置に把手３３が取り付けられている。また、第２引き戸１２は、上下の框１２ａ，１２ｂと左右の框１２ｃ，１２ｃと中框１２ｄとこれらの間に嵌装されたガラス板１２ｅとからなるもので、上部の框１２ａに転動吊支部材１４が取り付けられ、そして下框１２ｂの下端部に設けた凹溝１８が下部ガイドレール１５に係合される。尚、図１及び図４の(a) ，(b) において、１９は上部ガイドレール９，１０を外側から被うように上横枠４の外面側下端部に取り付けられた化粧カバーである。
【００２２】
第１引き戸１１と第２引き戸１２とは、第１引き戸１１及び第２引き戸１２と戸枠２との間に介装された連動手段２０により、連動して開閉されるようになっている。この連動手段２０は、図１、図２及び図６に示すように、戸枠２の上横枠４内に配備されたパンタグラフ機構２１からなる。このパンタグラフ機構２１は、図６の(a) 〜(c) から分かるように、板状の各長短リンク２２，２３と、各長短リンク２２，２３の端部どうしを枢支連結するピン２４と、各長リンク２２の中間部どうしを枢支連結するピン２５とから構成されていて、このパンタグラフ機構２１の基端部（図６の(a) の右端部）に位置するピン２４は取付部材２６を介して上横枠４に取り付けられ、このパンタグラフ機構２１の先端部（図６の(a) の左端部側）に位置するピン２５は、第１引き戸１１に固定された第１ブラケット３１に取り付けられ、このパンタグラフ機構２１の中間部に位置するピン２５は、第２引き戸１２に固定された第２ブラケット３２に取り付けられている。
【００２３】
第１ブラケット３１及び第２ブラケット３２は、夫々略々コ字形に形成されたもので、第１ブラケット３１は、図４の(a) に示すように、下端部３１ａを第１引き戸１１の上框１１ａに連結し、中間部３１ｂを上横枠４の長手方向に設けた開口溝部２７に挿通させた状態でその開口溝部２７に沿って移動自在とし、そして上端部３１ｃにパンタグラフ機構２１の先端部側のピン２５を取り付けたものであり、第２ブラケット３２は、図４の(b) に示すように、下端部３２ａを第２引き戸１２の上框１２ａに連結し、中間部３２ｂを上横枠４の前記開口溝部２７に挿通させた状態でその開口溝部２７に沿って移動自在とし、上端部３２ｃにパンタグラフ機構２１の中間部のピン２５を取り付けたものである。
【００２４】
図６の(a) は、パンタグラフ機構２１が伸張して、第１引き戸１１及び第２引き戸１２が閉じた閉戸状態にある。この閉戸状態から、戸先側の第１引き戸１１を、その把手３３を持って開放作動させると、パンタグラフ機構２１が図６の(c) に示すように収縮作動して、第２引き戸１２は第１引き戸１１に連動して開放作動し、こうして第１引き戸１１及び第２引き戸１２は、図６の(c) に夫々破線で示すような開放状態（開戸状態）となる。尚、図３及び図６の(a) 〜(c) において、３５は閉戸時に戸枠２の側枠６と第１引き戸１１の戸先部との隙間を隠すように設けられた隙間隠し部材であり、３６は閉戸時に第１引き戸１１の戸先部が当たる戸当たりゴムである。
【００２５】
上記のように第１引き戸１１と第２引き戸１２を開放させた後、自動的に閉戸するためのバネ手段２８が、戸枠２と第２引き戸１２との間に介設されている。このバネ手段２８は、戸枠２の上横枠４側に配備されたコイルバネ２９からなるもので、図６の(a) 〜(c) に示すように、コイルバネ２９の一端部が上横枠４側に取り付けられ、その他端部は、第２引き戸１２の第２ブラケット３２に取り付けられている。尚、図２において、３７及び３８はゴム状弾性体からなる緩衝材で、緩衝材３７は、戸枠２の側枠７に取り付けてあって、開戸時に第２引き戸１２の框１２ｃが側枠７に直接衝突するのを阻止するもの、また緩衝材３８は、第２引き戸１２の框１２ｃ取り付けてあって、開戸時に第１引き戸１１の框１１ｃが第２引き戸１２の框１２ｃに直接衝突するのを阻止する緩衝材である。
【００２６】
第１引き戸１１及び第２引き戸１２が図６の(a) に示すような閉戸状態にある時、前記コイルバネ２９は収縮状態にある。しかして、この状態から第１引き戸１１及び第２引き戸１２を開放作動させて、パンタグラフ機構２１を収縮作動させると、第２引き戸１２の第２ブラケット３２がパンタグラフ機構２１の収縮方向に移動して、コイルバネ２９が伸張付勢するから、電話使用者が開戸して、電話設置用空間部Ｓ内に入った後は、コイルバネ２９の付勢力により第２ブラケット３２を介してパンタグラフ機構２１が伸張作動し、第１引き戸１１及び第２引き戸１２は、図６の(a) に示すような閉戸状態となる。
【００２７】
上記のようにコイルバネ２９の付勢力により第１引き戸１１及び第２引き戸１２が自動的に閉戸する時に、戸先側の第１引き戸１１が勢い余って戸枠２の側枠６に衝突しないように引き戸速度を減速するための引き戸用ダンパー３０が、戸枠２と第２引き戸１２との間に設けられている。この引き戸用ダンパー３０は、図４の(a) ，(b) 及び図６の(b) ，(c) に示すように、戸枠２の上横枠４側に配備されたエアシリンダ３４からなるもので、シリンダチューブ３４ａの基端部が上横枠４に枢着され、ピストンロッド３４ｂが第２引き戸１２の第２ブラケット３２に枢着されていて、内部構造の図示は省略するが、ピストンロッド３４ｂが収縮作動する時にピストンがエアの圧縮抵抗を受けて減速し、ピストンロッド３４ｂの伸張時は圧縮抵抗を受けずに伸張作動するようになっている。
【００２８】
この引き戸用ダンパー３０によれば、第１引き戸１１及び第２引き戸１２が図６の(c) に示すような開戸状態からコイルバネ２９の付勢力によるパンタグラフ機構２１の伸張作動によって閉戸する時に、第２ブラケット３２がピストンロッド３４ｂを収縮作動させることにより、パンタグラフ機構２１の伸張速度が減速されるから、第１引き戸１１及び第２引き戸１２はゆっくり閉動し、戸先側の第１引き戸１１が戸枠２の側枠７に衝突して衝撃音を発するのを回避できる。尚、この実施形態では、シリンダチューブ３４ａを上横枠４側に取り付け、ピストンロッド３４ｂを第２引き戸１２側である第２ブラケット３２に取り付けているが、シリンダチューブ３４ａを第２ブラケット３２に取り付け、ピストンロッド３４ｂを上横枠４側に取り付けてもよい。
【００２９】
以上、実施形態によって説明したように、この考案に係る電話設置装置では、電話設置用空間部Ｓの出入り口開口部Ｓｏに引き戸装置１を設けているから、出入り口開口部Ｓｏに２枚の障子からなる扉を設けた従来の電話設置装置のように扉閉止時に山形状に折り畳まれた障子が電話設置用空間部Ｓ内に突き出ることがなく、電話設置用空間部Ｓの奥行きを極力狭くでき、従って電話ボックス設置用スペースの小型化を図ることができる。
【００３０】
出入り口開口部Ｓｏに引き戸装置１を設けた場合、一般的な引き戸装置では、戸枠２の下横枠５上面にガイドレールを設ける必要があるが、この電話設置装置においては、第１引き戸１１及び第２引き戸１２の夫々上端部を、上横枠４に取り付けた上部ガイドレール９，１０に夫々左右動自在に吊支し、第２引き戸１２の下端部を、固定壁３の内側で下横枠５の上面に取り付けた下部ガイドレール１５に支持し、第１引き戸の下端部は、第２引き戸の内側下端部に取り付けた下部ガイドレール１６に支持しているため、戸枠２の下横枠５上面には溝部や突起部がなく、外観上の体裁も良い上に、泥やゴミ等が詰まったり、電話使用者が足を引っ掛けたりすることがない。
【００３１】
そして、この電話設置装置では、第１引き戸１１と第２引き戸と戸枠１２とを連動開閉する連動手段２０として、戸枠２の上横枠４側にパンタグラフ機構２１を配備し、このパンタグラフ機構２１の基端部を上横枠４側に枢着し、先端部を第１引き戸１１の上端部側に枢着し、中間部を第２引き戸１２の上端部側に枢着することによって、戸先側の第１引き戸１１の開閉作動によりパンタグラフ機構２１が伸縮動作して第２引き戸１２を開閉作動させるようにしたから、連動手段２０の構造がコンパクトになり、戸枠２の上横枠４側に有効に配備することができる。
【００３２】
また、第１引き戸１１及び第２引き戸１２を自動的に閉戸するためのバネ手段２８を、戸枠２と第２引き戸１２との間に設けているから、第１引き戸１１及び第２引き戸１２の閉戸操作が不要となる。この場合、バネ手段２８は、戸枠２の上横枠４側に配備されたコイルバネ２９からなるもので、このコイルバネ２９は、一端部を上横枠４側に取り付け、他端部を第２引き戸１２の上端部側に取り付けるようにすることで、バネ手段２８を戸枠２の上横枠４側に有効に配備できる。
【００３３】
また戸枠２と第２引き戸１２との間には、閉戸時に引き戸速度を減速するための引き戸用ダンパー３０を設けているため、第１引き戸１１と第２引き戸１２はゆっくり閉動し、戸先側の第１引き戸１１が戸枠２の側枠７に衝突して、騒音を発することを回避できる。この場合、引き戸用ダンパー３０は、戸枠２の上横枠４側に配備されたエアシリンダ３４からなるもので、シリンダチューブ３４ａを上横枠４側に取り付け、ピストンロッド３４ｂを第２引き戸１２の上端部側に取り付けるようにしているから、引き戸用ダンパー３０が１本の棒状構造体となり、戸枠２の上横枠４側に有効に配備することができる。
【００３４】
上述した実施形態においては、電話設置用空間部Ｓは、高速道路のトンネルの側壁部を掘削して形成した空間部で、このような空間部Ｓの出入り口開口部Ｓｏに引き戸装置１を設けたものであるが、この引き戸装置１は、一般に使用されるボックス型の電話設置装置にも使用可能で、その場合は、箱状ボックス本体の内部が電話設置用空間部Ｓとなる。
【符号の説明】
【００３５】
Ｓ            電話設置用空間部
Ｓｏ          出入り口開口部
１            引き戸装置
２            戸枠
３            固定壁
４            戸枠の上横枠
５            戸枠の下横枠
６，７        戸枠の側枠
９，１０      上部ガイドレール
１１          第１引き戸
１２          第２引き戸
１５，１６    下部ガイドレール
２０          連動手段
２１          パンタグラフ機構
２８          バネ手段
２９          コイルバネ
３０          引き戸用ダンパー
３１          第１ブラケット
３２          第２ブラケット
３４          エアシリンダ
【図１】
0003190980.tif 000003
【図２】
0003190980.tif 000004
【図３】
0003190980.tif 000005
【図４】
0003190980.tif 000006
【図５】
0003190980.tif 000007
【図６】
0003190980.tif 000008